(57)【要約】      （修正有）【課題】サイズを変更可能とし、発光状況を変更でき、昼間等の明るい場所であっても十分に目的とする効能を得ることができる組み立てフレームを提供する。【解決手段】複数のパーツを組み立てることで無端のフレーム本体を形成し、そのフレーム本体の各パーツ前面側に、フレーム本体の形状に沿った凹溝５を形成し、その凹溝２内に複数のＬＥＤを列設させたＬＥＤ基板９を配設し、平面的な表示体の枠の背面側または側面側に、前記フレーム本体の一部を外方へ突出させて接続止着することとし、前記したフレーム本体を組み立てるパーツには空洞を形成するとともに、外縁の前面側にテーパ面８または曲面を形成してあることとする。【選択図】図４
0003194256.tif 000002
【実用新案登録請求の範囲】
【請求項１】
複数のパーツを組み立てることで無端のフレーム本体を形成し、そのフレーム本体の各パーツ前面側に、フレーム本体の形状に沿った凹溝を形成し、その凹溝内に複数のＬＥＤを列設させたＬＥＤ基板を配設し、平面的な表示体の枠の背面側または側面側に、前記フレーム本体の一部を外方へ突出させて接続止着することを特徴とする組み立てフレーム。
【請求項２】
前記したフレーム本体を組み立てるパーツには空洞を形成するとともに、外縁の前面側にテーパ面または曲面を形成してあることを特徴とする請求項１に記載の組み立てフレーム。
【請求項３】
前記したＬＥＤに対応する受光素子を列設させた受光素子基板を、前記ＬＥＤ基板と並行して備えていることを特徴とする請求項１または２に記載の組み立てフレーム。
【請求項４】
前記したパーツは乳白色とした合成樹脂で成形されていることを特徴とする請求項１から３のうち１項に記載の組み立てフレーム。
【請求項５】
前記したフレーム本体は全体を角丸の矩形とし、コーナーには扇形をしたコーナーパーツを用い、そのコーナーパーツに直線状パーツを接続してあることを特徴とする請求項１から４のうち１項に記載の組み立てフレーム。
【請求項６】
前記したＬＥＤの電源として商用電源のほか、バッテリーも使用可能とし、リモコン操作によってＬＥＤの照光状態を変化可能としたことを特徴とする請求項１から５のうち１項に記載の組み立てフレーム。
【請求項７】
前記したフレーム本体の表示体の枠への接続止着にはＬ字状をし、先端を鈎状とした連結部材を介装してあることを特徴とする請求項１から６のうち１項に記載の組み立てフレーム。
【請求項８】
前記した組み立てフレームのＬＥＤ基板の配設は全体の一部分であることを特徴とする請求項１から７のうち１項に記載の組み立てフレーム。
【考案の詳細な説明】
【技術分野】
【０００１】
本考案は組み立てフレームに関し、主として平面的な表示体、例えばメニュー、ポスター、絵画、写真、色紙や種々の連絡、通知文を装着したイーゼル、その他鏡、額、ガラス枠やテレビ受像機等の外部を背面側から電飾して、その表示を際立たせ、人々の注目を一段と引くことができることとする組み立てフレームに関する。
【背景技術】
【０００２】
従来、この種のフレームに関するものとして特許文献１として示す実用新案登録第３１８８３９２号のポスター掲示パネルが存在している。しかしながら、この特許文献１におけるポスター掲示パネルは、ポスターを掲示する基台と、その周域の透明体が予め一体化されているもので、既存のイーゼルその他の表示体を使用することは不可となっている。
【０００３】
しかも、この従来のポスター掲示パネルはサイズが特定されているため、掲示しようとするポスターサイズをこのパネルに適合させなければならない制約がある。また、この透明体を使用してのＬＥＤの照光は暗中では光るとしても、明るい場所ではその照光はさして目立たず、目的とする効果を十分に発揮することができない。
【先行技術文献】
【特許文献】
【０００４】
【特許文献１】実用新案登録第３１８８３９２号公報
【考案の概要】
【考案が解決しようとする課題】
【０００５】
本考案が解決しようとする問題点は、従来、既存の平面的な表示体の外部を電飾するものであり、サイズを変更可能とし、発光状況を変更でき、昼間等の明るい場所であっても十分に目的とする効能を得ることができるフレームは存在していなかったという点である。
【課題を解決するための手段】
【０００６】
上記した問題点を解決するために、本考案に係る組み立てフレームは、複数のパーツを組み立てることで無端のフレーム本体を形成し、そのフレーム本体の各パーツ前面側に、フレーム本体の形状に沿った凹溝を形成し、その凹溝内に複数のＬＥＤを列設させたＬＥＤ基板を配設し、平面的な表示体の枠の背面側または側面側に、前記フレーム本体の一部を外方へ突出させて接続止着することを特徴としている。
【０００７】
また、本考案に係る組み立てフレームは、前記したフレーム本体を組み立てるパーツには空洞を形成するとともに、外縁の前面側にテーパ面または曲面を形成してあることを特徴とし、前記したＬＥＤに対応する受光素子を列設させた受光素子基板を、前記ＬＥＤ基板と並行して備えていることを特徴としている。
【０００８】
さらに、本考案に係る組み立てフレームは、前記したパーツは乳白色とした合成樹脂で成形されていることを特徴としている。
【０００９】
そして、本考案に係る組み立てフレームは、前記したフレーム本体は全体を角丸の矩形とし、コーナーには扇形をしたコーナーパーツを用い、そのコーナーパーツに直線状パーツを接続してあることを特徴とし、前記したＬＥＤの電源として商用電源のほか、バッテリーも使用可能とし、リモコン操作によってＬＥＤの照光状態を変化可能としたことを特徴としている。
【００１０】
さらに、本考案に係る組み立てフレームは、前記したフレーム本体の表示体の枠への接続止着にはＬ字状をし、先端を鈎状とした連結部材を介装してあることを特徴とし、前記した組み立てフレームのＬＥＤ基板の配設は全体の一部分であることを特徴としている。
【考案の効果】
【００１１】
本考案に係る組み立てフレームは、上記のように構成されている。そのため、既存のイーゼルをはじめとする平面的な表示体はそのまま使用することができ、その既存の表示体の背面側からその外部周域を電飾することができる。また、本考案の構成とすることで、表示体のサイズに合わせて、自在にそのサイズを変更、調整することができ、接続作業も容易となり、また、昼間等の明るい状況にあっても十分に目的とする電飾効果を得ることができるとともに、イルミネーションを自在に変化させることもできる。さらには、バッテリーの使用も可として商用電源のない場所でも使用でき、ＬＥＤの交換作業も容易となる。
【００１２】
加えて、防水処理を施すことで屋外の水辺やプールサイド等にあっても使用が可能となり、複数のフレームをさらに連接させて、電飾状態を同調させることができる。そして、本考案に係る組み立てフレームは、矩形に限らず、円形、楕円形、ハート形、星形、その他異形であっても好みや必要に応じて対応することができる。
【図面の簡単な説明】
【００１３】
【図１】本考案を実施した組み立てフレームの分割状態を示す正面図である。
【図２】組み立てたフレームと対象となるイーゼルを示す正面図である。
【図３】イーゼルに取り付けた組み立てフレームの作動状態を示す正面図である。
【図４】コーナーパーツ部分の表面側を示す図である。
【図５】同じく裏面側を示す図である。
【図６】直線状パーツ部分の断面図である。
【図７】コーナーパーツの他の例を示す斜視図である。
【図８】連結部材を示す図である。
【図９】直線状パーツの他の例を示す断面図である。
【図１０】表示体への取り付け状態を示す図である。
【図１１】他の例を示す図である。
【考案を実施するための形態】
【００１４】
図面として示し、実施例で説明したように構成したことで実現した。
【実施例１】
【００１５】
次に、本考案の好ましい実施の一例を図面を参照して説明する。図中１は本考案を角丸の縦長矩形として形成した組み立てフレームを示している。この実施例にあって組み立てフレーム１は四つの扇形状としたコーナーパーツ２、２ａ、２ｂ、２ｃとその各コーナーパーツ２、２ａ、２ｂ、２ｃ間に接続される長短２種類の直線状パーツ３、３ａ，４、４ａとより構成されている。
【００１６】
前記した各パーツはいずれも乳白色とした合成樹脂やその他シリコン素材等によって成形されており、後述するＬＥＤによる発光を柔らかく伝通させ、昼間や照明下等の明るい場所にあっても、その効用を十分に発揮することができるものとしている。また、シリコン素材を用いた時、波形部分等にも取り付けが可能となる。
【００１７】
前記各パーツの前面側には、その各パーツの外郭線に沿って、組み立て時に無端となる凹溝５、５‥が形成されている。この凹溝５は各パーツにあって後述するイーゼル等の対象となる表示体の既存の枠体と重合される受部６の外方側に形成されている。
【００１８】
また、前記した直線状パーツ３、３ａ，４、４ａの凹溝５、５‥の外側部分にはその凹溝５、５‥と平行に沿う空洞部７が形成されている。さらに、この直線状パーツ３、３ａ，４、４ａの外縁前面は前記した凹溝５に対して略４５度のテーパ面８が形成されており、後述するＬＥＤからの発光を空洞部７を介して前方斜め外方へ放射できるものとしている。このテーパ面８はコーナーパーツ２、２ａ‥の外縁にも形成され、直線状パーツ３、３ａ，４、４ａのテーパ面８と一連の無端状となる。
【００１９】
さらに、前記した凹溝５内には複数のＬＥＤを列設したＬＥＤ基板９が嵌入され、各パーツを組み立てた際に、その組み立てフレーム１の前面で間欠なく照光を可能としている。また、このＬＥＤ基板９におけるＬＥＤの発光は空洞部７方向へ向けられ、特に空洞部７内を照射するものとしてあり、この光は乳白色の素材を伝通して、組み立てフレーム１全体を明るくする。
【００２０】
一方、前記した扇形状のコーナーパーツ２、２ａ‥は内側となる直角部分を挟む側面には直線状パーツ３、３ａ‥との連結のための連結部１０、１０ａが突設されており、このうち連結部１０は直線状パーツ３、３ａ‥の空洞部７内へ嵌入され、１０ａは受部６と重合補強されるものとなっている。
【００２１】
また、コーナーパーツ２には、前記したＬＥＤ基板９に列設されているＬＥＤに電力を供給するためのコネクタ１１が設けられ、このコネクタ１１は商用電源１２もしくは乾電池をはじめとするバッテリー１３から電力をＬＥＤに供給する。
【００２２】
さらに、図中１４は受光素子基板を示しており、ＬＥＤの発光を受け、種々の照光バリエーションのスイッチングや切り換えを可能とする。
【００２３】
そして、図中１５は、本実施例にあって組み立てフレーム１を装着する対象としてのイーゼルを示している。このイーゼル１５は縦長の矩形となっており、その周縁には表示部を補強する枠１６が設けられているもので、本実施例ではこの枠１６をプラスチック製と想定しているが、その素材は限定されるものではない。
【００２４】
このイーゼル１５の枠１６の背面に組み立てフレーム１の受部６が宛がわれ、本実施例にあってはビス１７によって固定止着される。この止着もビス１７にこだわるものではなく、枠１６の素材によって面状ファスナーや両面テープを使用することができる。この止着状態で凹溝５、即ち、その凹溝５に嵌入されたＬＥＤ基板９は枠１６の背面に隠れた状態となり、空洞部７を有する部分が、イーゼル１５の外郭外部に突出する構成となる。
【００２５】
イーゼル１５に組み立てフレーム１を装着し、そのＬＥＤを発光あるいは消光させる作業は、本実施例にあってはリモコン１８による操作を想定している。これは、勿論、組み立てフレーム１の一部にスイッチを取り付けて操作する構成でもかまわない。凹溝５に嵌入されているＬＥＤ基板９のＬＥＤは全てが同色でも、異なる発光色のものを好みに応じて列設することができ、本実施例の場合、リモコン１８の操作でフラッシュ点灯や色に応じてのレインボーカラー等も得ることができ、イルミネーションを自在に操作することができる。
【００２６】
こうしてリモコン１８の操作でＬＥＤが発光された際に、その発光Ｌは図３として示す状態となる。即ち、イーグル１５の枠１６の外周を隈なく照光電飾することとなり、イーゼル１５の表示面における表示を周囲から際立たせることができ、この発光Ｌの状態が単に単色ではなく複数色であったり、フラッシュ状態とすると、その際立ちは一層大きなものとなる。
【００２７】
また、図として示すのはコーナーパーツ２ｄであり、前記したコーナーパーツ２、２ａ‥と構成の異なるものとなっている。このコーナーパーツ２ｄの場合、受部６と重合する連結部１０ｂを平板ではなく立体的なものとして、組み付け時の補強が図られている。さらには、凹溝５を外部の角丸のアールと平行させて形成してあり、このコーナーパーツ２ｄ部分にもＬＥＤ基板９の配設を可能なものとしている。
【００２８】
一方、図８として直線状パーツ３と表示体（イーゼル）の枠１６とを連結するための連結部材１９を示す。この連結部材１９は本実施例では金属製のものを想定しているが、硬質のプラスチック等で成形することもできる。この連結部材１９は枠１６の背面に宛がわれるＬ字状部分１９ａと、そのＬ字状部分１９ａの後部端縁から外方に直角に屈曲され、さらに先端１９ｂを前方に向けて鈎状に屈曲させた構成となっている。
【００２９】
連結部材１９のＬ字状部分１９ａの外側面が直線状パーツ３の内側面と当接され、先端１９ｂは直線状パーツ３の内方背面から、その直線状パーツ３の背面に形成された受溝２０内に嵌入され、保持固定される構成となっている。
【００３０】
さらに、図９として示すのは直線状パーツ３ｂもしくは４ｂの他の例である。この直線状パーツ３ｂあるいは４ｂは、この実施例にあってはシリコンによって製造することを想定しており、外側面を外方に向けて膨出させた弧状の曲面２２としてあり、ＬＥＤ基板９が配設される凹溝５ａは一部にスリットが形成された略室状のものとされ、ＬＥＤ基板９は、やはり空洞７方向へ光を照射する形態で配設される。尚、この実施例における直線状パーツ３ｂ、４ｂは円形や凹凸のある表示体への接続が可能となる。
【００３１】
一方、図中２１は直線状パーツ３ｂもしくは４ｂの内面側に設けられる両面テープを示しており、この両面テープ２１によって直線状パーツ３ｂ、４ｂをイーゼル１５の枠１６の外側面に装着固定される。尚、この実施例では組み立てフレームとして全体を長尺と短尺の直線状パーツ３ｂ、３ｂ，４ｂ、４ｂによって構成するため、角丸とするコーナーパーツは不要としている。
【００３２】
また、直線状パーツ３ｂもしくは４ｂは図１１として示す構成として用いることもできる。つまり、長尺の直線状パーツ３ｂ、３ｂのみによってイーゼル１５の枠１６の長手方向（上下方向）のみをイルミネーションさせることもできる。これは短尺の直線状パーツ４ｂ、４ｂを用いて上下縁（左右方向）のみのイルミネーションとすることもできる。
【００３３】
この構成はイーゼル１５自体を上下方向、左右方向に連続して設けた構成にも対応することができ、同期して連続のイルミネーションを施すことも可能となる。
【産業上の利用可能性】
【００３４】
本実施例に係る組み立てフレームは上記のように構成されている。本考案はこの実施例に限らず、全体形状を円形、楕円形、ハート形、星形、その他異形のものを形成することができる。また、この組み立てフレームは数個を電気的に接続して、同期的に照光させたり、各組み立てフレーム毎に異なった照光状態とすることもできる。
【００３５】
さらに、対象となる表示体はイーゼルに限らず、鏡や額、ガラス枠やテレビ受像機、その他紙芝居や人形劇に使用される枠等にも使用することができる。
【符号の説明】
【００３６】
１    組み立てフレーム
２、２ａ、２ｂ、２ｃ、２ｄ    コーナーパーツ
３、３ａ、３ｂ    長尺の直線状パーツ
４、４ａ、４ｂ    短尺の直線状パーツ
５、５ａ    凹溝
６    受部
７    空洞部
８    テーパ面
９    ＬＥＤ基板
１０、１０ａ、１０ｂ    連結部
１１    コネクタ
１２    商用電源
１３    バッテリー
１４    受光素子基板
１５    イーゼル
１６    枠
１７    ビス
１８    リモコン
１９    連結部材
１９ａ    Ｌ字状部分
１９ｂ    先端
２０    受溝
２１    両面テープ
２２    曲面
Ｌ    発光
【図１】
0003194256.tif 000003
【図２】
0003194256.tif 000004
【図３】
0003194256.tif 000005
【図４】
0003194256.tif 000006
【図５】
0003194256.tif 000007
【図６】
0003194256.tif 000008
【図７】
0003194256.tif 000009
【図８】
0003194256.tif 000010
【図９】
0003194256.tif 000011
【図１０】
0003194256.tif 000012
【図１１】
0003194256.tif 000013